(57)【要約】【課題】  流動食用パウチに飲料水等を注入するための開口部をスパウトのような別部材を用いることなく、簡単かつ確実に加水作業を遂行出来るようにした流動食用パウチを提供する。【解決手段】  表面、裏面及び底面を形成する３枚の多角形状のプラスチックフィルムの周縁部をシールした有底の流動食用パウチであって、  該底面を下にして自立した時のパウチの上辺と側辺との一角に設けた傾斜部に内容物注出具が装着され、該側辺と反対側の側辺に、斜め下方に突出した把持部と、該把持部よりも下方のヒートシール部の特定部位に吊り下げ穴と、該把持部内面にプラスチック製の線状ファスナーが設けられている有底の流動食用パウチ。【選択図】  図１
2007022572.tif 000002
【特許請求の範囲】
【請求項１】
表面、裏面及び底面を形成する３枚の多角形状のプラスチックフィルムの周縁部をシー
ルした有底の流動食用パウチであって、
該底面を下にして自立した時のパウチの上辺と側辺との一角に設けた傾斜部に内容物注
出具が装着され、該側辺と反対側の側辺に、斜め下方に突出した把持部と、該把持部より
も下方のヒートシール部に吊り下げ穴が形成されており、さらに該把持部内の外端シール
部からパウチ内方に離間した箇所には、一方の面に直線状の凸部が形成され、それと対向
する面に上記凸部と係合する凹部が形成された開閉自在のプラスチック製の線状ファスナ
ーが、線状ファスナーに平行な直線と前記内容物注出具の注出口の中心と前記吊り下げ穴
の中心とを結ぶ線分とのなす角度が７０ないし８０°となるように該把持部を横断して形
成されていることを特徴とする有底の流動食用パウチ。
【請求項２】
前記内容物注出具は、その先端が上記上辺と側辺の延長線内に形成されている請求項１
記載の有底の流動食用パウチ。
【請求項３】
前記内容物注出具が装着されるパウチの傾斜部内方のヒートシール部内縁は、装着部を
底辺とするすり鉢状に形成されてなる請求項１または２記載の有底の流動食用パウチ。
【請求項４】
前記内容物注出具が形成される側のみの底部シール縁が、傾斜状にトリミングされてい
る請求項１ないし３のいずれか１項記載の有底の流動食用パウチ。
【請求項５】
前記把持部は、片手で把持可能な横幅に形成されている請求項１ないし４のいずれか１
項記載の有底の流動食用パウチ。
【請求項６】
前記線状ファスナーのパウチ内方側は、線状ファスナーの延設されたフィルム状基材が
弱化部を介して互いに連接されている請求項１ないし５のいずれか１項記載の有底の流動
食用パウチ。
【請求項７】
前記把持部の横幅が、５０ないし１１０ｍｍである請求項５記載の有底の流動食用パウ
チ。
【発明の詳細な説明】
【技術分野】
【０００１】
本発明は、栄養剤や流動食等を収納したパウチの周縁部に装着された注出具を介してパ
ウチ内容物を被術者に投与する有底の流動食用パウチに関するものであって、より詳しく
は、例えば、パウチ内の内容物投与前の水分希釈、あるいは、投与後の水分等の補給を行
なう際に、該パウチに飲料水等を注入するための開口部を、前記注出具と離間した把持部
内に形成し、該開口部の開閉をプラスチック製の線状ファスナーによって行ない、安全に
かつ簡単に水分等の補給が出来るようにした有底の流動食用パウチに関する。
【背景技術】
【０００２】
【特許文献１】特開２０００−６９９９号公報
【特許文献２】特開２０００−１５２９７５号公報
【特許文献３】特開２００１−２４７１３６号公報
【０００３】
特許文献１は、図８に示したように、内層にヒートシール性合成樹脂を有するフィルム
の周縁部ｅをヒートシールし、包装袋の一辺に注出用部材ｂを装着し、その対向する辺に
蓋部材を有する注入用部材ｃを装着した経管経腸栄養剤用包装袋ａ、所謂流動食用パウチ
を開示しており、その特徴とするところは、可撓性を有するシート片により吊り下げ可能
な流動食用パ０チａ本体の一方の縁部に被充填物を注入するための充填具ｃが設けられ、
他方の縁部に被充填物を注ぎ出すための注出具ｂが設けられ、しかも、充填具の注入口ｃ
が注出具の注出口ｂよりも大きく形成されていることにある。さらに、この流動食用パウ
チにおいては、一方の側縁部にはガセットｆとして内側に折り込まれることによって有底
の流動食用パウチとなし、もう一方の側縁部はガセットを形成することなくヒートシール
されている。これによって、流動食用パウチの輸送時に上記のガセット形成部を底部とし
て載置することが出来、安定した輸送が行なわれるようになっている。
【０００４】
特許文献２は、図９に示したように、流動食用パウチａの下部が内容物注出口になるよ
うに構成されているもので、切り込み部ｇ２を利用して先端部近傍を引き裂いて注出口ｂ
とするようになっている。
また、内容物注出後の水分補給に際しては、流動食用パウチ上方の切り込み部ｇ１を利
用して包装体の一部を切断し、その後のパウチの封止は、ジッパー式の開閉自在の封止部
ｈによって行なわれるようになっている。
【０００５】
上記特許文献１に開示された流動食用パウチは、パウチ内容物を投与した後の水分等の
補給のために手段として、いずれも、注出口よりも大きい別部材の注入口（充填具）をわ
ざわざ設けることが要件となっている。
【０００６】
また、特許文献２は、水分補給手段として、別体の充填具を用いることなく、パウチの
一部を引き裂いて開口を形成するという簡便さがあり、その部分の封止構造としてジッパ
ー式の封止具を用いている。
【０００７】
ところが、特許文献１のように、別部材のスパウトをパウチの一部に組み込むことは、
製造工程が煩雑になるだけでなく、ワンウエイの流動食用パウチとしてはコスト的にも高
価になり不経済であること、さらには、パウチ使用後の廃棄に際しても、場合によっては
そのままの廃棄は出来ないため分別作業に余計な時間が取られるという問題がある。
また、特許文献２のように、パウチの一部を引き裂いて、そこを開口とする手段も、簡
便であり、経済性にも優れているが、開口部に加水する際の作業時にはパウチ全体を把持
しなければならず、その状態で開口部を開く作業は片手だけではなかなかスムーズに行な
うことができないため、そこにホースやポット・水差し等の注ぎ口から加水する作業は不
安定であり、被術者の衣服や寝具を濡らしてしまう虞がある。
【発明の開示】
【発明が解決しようとする課題】
【０００８】
かかる従来技術の現状に鑑みて、本件の一部発明者らは、流動食用パウチの投与前また
は投与後の開封または封止に際して用いる開口部を、高価でかつ廃棄時に場合によっては
分別する必要がある別部材を用いることなく、かつ、開口部が形成される箇所を把持部と
して形成することにより、加水時の作業が安全・確実に遂行出来るようにした流動食用パ
ウチに想到し、すでに、特願２００４−１６８９７号（以下、先願発明という）として特
許出願を行った。
【０００９】
上記先願発明の構成は、下記の通りである。
表面、裏面及び底面を形成する複数の多角形状のプラスチックフィルムの周縁部をシー
ルし、該周縁部の一部に内容物注出具が装着された有底の注出具付きパウチであって、
該内容物注出具と離間したパウチ周縁部に把持部が形成され、該把持部内の外端シール
部からパウチ内方に離間した箇所に、一方の面に直線状の凸部が形成され、それと対向す
る面に上記凸部と係合する凹部が形成された開閉自在のプラスチック製の線状ファスナー
が該把持部を横断して形成されていることを特徴とする有底の注出具付きパウチ。
【００１０】
本発明者らは上記先願発明を追試し、更なる改良を意図して研究を進めたところ、注出
具の装着箇所や把持部の形状、有底部の形状ならびに形成箇所等を特定することによって
、上記目的を一層良好に達成し得る流動食用パウチの構成に想到し、本発明に至ったもの
である。
【課題を解決するための手段】
【００１１】
本発明は上記目的を達成するために提案されたものであり、下記の要件からなることを
特徴とする。
すなわち、本発明によれば、表面、裏面及び底面を形成する３枚の多角形状のプラスチ
ックフィルムの周縁部をシールした有底の流動食用パウチであって、
該底面を下にして自立した時のパウチの上辺と側辺との一角に設けた傾斜部に注出具が
装着され、該側辺と反対側の側辺に、斜め下方に突出した把持部と、該把持部よりも下方
のヒートシール部に吊り下げ穴が形成されており、さらに該把持部内の外端シール部から
パウチ内方に離間した箇所には、一方の面に直線状の凸部が形成され、それと対向する面
に上記凸部と係合する凹部が形成された開閉自在のプラスチック製の線状ファスナーが、
線状ファスナーに平行な直線と前記内容物注出具の注出口の中心と前記吊り下げ穴の中心
とを結ぶ線分とのなす角度が７０ないし８０°となるように該把持部を横断して形成され
ていることを特徴とする有底の流動食用パウチが提供される。
【００１２】
また、本発明によれば、前記内容物注出具は、その先端が上記上辺と側辺の延長線内に
形成された上記有底の流動食用パウチが提供される。
【００１３】
また、本発明によれば、前記内容物注出具が装着されるパウチの傾斜部内方のヒートシ
ール部内縁は、装着部を底辺とするすり鉢状に形成されてなる上記有底の流動食用パウチ
が提供される。
【００１４】
また、本発明によれば、前記内容物注出具が形成される側のみの底部シール縁が、傾斜
状にトリミングされている上記有底の流動食用パウチが提供される。
【００１５】
また、本発明によれば、前記把持部は、片手で把持可能な横幅に形成されている上記有
底の流動食用パウチが提供される。
【００１６】
また、本発明によれば、前記線状ファスナーのパウチ内方側は、線状ファスナーの延設
されたフィルム状基材が弱化部を介して互いに連接されている上記有底の流動食用パウチ
が提供される。
【００１７】
また、本発明によれば、前記把持部の横幅が、５０ないし１１０ｍｍである上記有底の
流動食用パウチが提供される。
【発明の効果】
【００１８】
本発明の流動食用パウチは、パウチ内容物の投与前または投与後の開封または封止に際
して用いる開口部を、高価でかつ廃棄時に場合によっては分別する必要がある別部材を用
いることがないため、簡便にして使い勝手が良いという特徴がある。また内容物注出具の
先端がパウチの上辺と側辺の延長線内に位置しているために、パウチを箱詰め包装する際
に内容物注出具部分が突出して製品の載置状態が不安定になるということがない。さらに
、開口部が形成される箇所を把持部として形成することができるため、加水時の作業が安
全・確実に遂行出来るというメリットもある。
そのため、ワンウエイ容器として提供し得るだけのコスト的メリットと、使用後の廃棄
に際して、ことさらに充填具を分別する手間を省くことができる点で従来の流動食用パウ
チに比べて優れている。
【００１９】
また、本発明の流動食用パウチはスタンディングパウチとされているために、輸送や移
動の際に安定してワゴン等に載置が出来ると共に、加水時の開口形成に際しては、把持部
を持って開口部を開けることができるため、パウチ内へのホースやポット・水差し等から
の水などの注入が安定かつ確実に行なうことができ、被術者の衣類や寝具を濡らしてしま
うという不始末をすることなく、加水作業を行なうことができる。その際、把持部が片手
で把持可能な横幅に形成されていることにより、作業性が一層向上する。
【００２０】
また、前記内容物注出具が装着されるパウチの傾斜部内方のヒートシール部内縁を、装
着部を底辺とするすり鉢状に形成しておけば、パウチ内の液状物がパウチ内に残らず排出
され、効率的な有底の流動食用パウチとすることができる。
【００２１】
また、前記内容物注出具が形成される側の底部設置面だけを、把持部が形成される側の
底部設置面より短くなるように傾斜状にトリミングしておくことにより、内容物が充満状
態で載置される有底の流動食用パウチ全体が安定状態で自立することができ、載置状態で
の不安定さを防止することができる。
【００２２】
さらに、内容物注出具に相対するパウチ周縁部に、吊り下げ穴を形成しておくことによ
り、この吊り下げ穴を利用して、ことさら別の吊り具を準備することなく、パウチをフッ
クなどの吊り下げ穴に吊り下げて注出を行なうことが出来る。そして、その際、前記のよ
うにパウチのコーナー部に内容物注出具が位置していることにより、注出具に向かってパ
ウチ周縁部が傾斜しているので、液だまりが出来ず、パウチ内容物を最後まで無駄なく利
用することができる。
特に、注出口中心と吊り下げ穴の中心とを結ぶ線分と、線状ファスナーの係合する凹凸
部に平行な直線とのなす角度を７０ないし８０°にすることによって、パウチを吊り下げ
たときに線状ファスナーの開口が加水作業を行うのに適した角度で斜め上方を向くので注
水がやりやすく好適である。
【００２３】
また、前記線状ファスナーのパウチ内方側が線状ファスナーの延設されたフィルム状基
材が弱化部を介して互いに連接されていることにより、パウチ内容物を外側から加熱殺菌
した場合などに、内容物がフィルム状基材に遮られ直接線状ファスナーの係合部分周辺に
付着することがないため、異物や雑菌の侵入を伴わずに、より清潔な状態で加水作業が遂
行出来る。また、把持部の横幅が５０ないし１１０ｍｍに形成されていることにより、パ
ウチの把持が安定に行うことができる。
【発明を実施するための最良の形態】
【００２４】
以下に、図面を参照して本発明の最良の実施の形態を説明する。
図１、２は本発明の流動食用パウチの実施態様を示す正面図であり、図３は本発明の流
動食用パウチ底部の層構成を説明するための拡大斜視図であり、図４は底部の他の実施態
様を示す斜視図であり、図５は図３の底面図である。
【００２５】
本発明の注出具付きパウチ１は、大まかにいって、表面Ａ、裏面Ｂ及び底面Ｃを形成す
る３枚の多角形状のプラスチックフィルムの周縁部１３をシールし、該底面Ｃを下にして
自立した時のパウチ１の上辺１９と側辺１７との一角に設けた傾斜部１８に内容物注出具
１１が装着された構成になっており、この内容物注出具の先端は、上記上辺１９と側辺１
７の延長線（１９ａ，１７ａ）内に位置していることにより、包装、輸送に当たってコン
パクトに収納することができる。パウチのシールは通常は熱板によるヒートシールである
が、高周波誘導加熱や超音波によるシールでも良い。
【００２６】
内容物注出具が装着されるパウチの傾斜部内方のヒートシール部内縁は、図１のように
傾斜部の外縁と内縁が同じ幅でヒートシールされていても良いが、図２に示したように、
装着部を底辺とするすり鉢状１８ａに形成することにより、内容物を排出する際に、パウ
チ内に残ることがなく、無駄なく排出することができる。
【００２７】
また、図３に示すように、パウチ内に内容物が充填されると、底部１４が広がりパウチ
１全体が立体的に膨らむため、パウチの底部シール縁２９の中央部付近では、シール縁２
９が床面と接地せずに隙間が出来て自立状態での安定が悪くなる。このような現象を防止
するためには、底部シール縁２９の内容物注出具が形成される側のみを傾斜状にトリミン
グすることが効果的である。このことによって、底部シール縁２９と底面との隙間がなく
なり、自立状態での安定が良くなる。トリミングの程度は、パウチ１の大きさや底部１４
の大きさ、底部シール１５の形状、内容物の充填状態などによっても異なるが、通常、縦
カット長（Ｌ）×傾斜角度（θ）（図２参照）が２ｍｍ×１０°ないし５ｍｍ×３°程度
でくあることが好ましい。袋状容器の内容物充填後の自立性を保持するために、袋状容器
の底部の両端をトリミングすることは前述した特許文献３に記載されているが、内容物注
出具が形成されるそこ部シール得だけをトリミングするだけで袋状容器の自立安定性を確
保できるのは、本発明の袋状容器の形状に由来する独自の構成である。
【００２８】
上記側辺１７とは反対側の側辺２７には、斜め下方に突出した把持部２が形成され、該
把持部２よりも下方のヒートシール部に吊り下げ部として使用される吊り下げ具が挿入さ
せる切り欠き１２が形成されている。この切り欠き１２は、吊り下げ具が挿入出来るもの
であればその形状は問わないが、図１に示したように、鉤状または半円状の切り欠きであ
ることが好ましい。また、把持部内の外端シール部２５からパウチ内方に離間した箇所に
は、一方の面に直線状の凸部が形成され、それと対向する面に上記凸部と係合する凹部が
形成された開閉自在のプラスチック製の線状ファスナー２１が形成されている。
【００２９】
この線状ファスナー２１は、線状ファスナーに平行な直線と前記内容物注出具１１の注
出口の中心と前記吊り下げ穴１２の中心とを結ぶ線分とのなす角度αが７０ないし８０°
、好ましくは約７５°となるように、把持部２を横断して形成されている。上記角度αが
７０ないし８０°にされていることにより、パウチを吊り下げた時に把持部の開口は斜め
上方に向き、且つ、この角度に設定した時に加水作業が最もしやすいと言うメリットがあ
る。
このように、側辺２７と把持部２の位置関係ならびに把持部２内に形成された線状ファ
スナー２１と切り欠き１２の位置関係を上記のように定めたことにより、加水作業時の安
定性がより一層向上する。
【００３０】
本発明の流動食用パウチ１の内容物注出具１１は、底面Ｃを下にして自立した時のパウ
チ１の上辺１９と側辺１７との一角に設けた傾斜部１８に装着され、その先端が上辺１９
と側辺１７の延長戦の内側に位置しているために、注出具１１がパウチ１から突出するこ
となく、全体形状としての収まりがよいし、内容物を充填した製品としての載置の点から
の安定性に優れている。図１に示した例では、注出具にキャップを被着した例を示してい
るが、その場合には、キャップの先端１１ｂが上辺１９と側辺１７の延長線の内側に位置
するようにしなければならない。流動食用パウチ１の胴体を構成するプラスチックフィル
ムは、パウチ内容物の投与状況を外から確認することができるようにするために透明であ
ることが好ましく、フィルム素材は単体でもよいが、通常、２層以上の複合フィルムが用
いられる。
【００３１】
このプラスチックフィルムは、周縁部をシールするものであるため、これをヒートシー
ルで行なう場合には、複合フィルムの場合であっても、内層はヒートシール可能なプラス
チックから構成されていることが必要であり、通常、ヒートシール層（内層）／バリヤ層
（中間層）／表面層（外層）や、ヒートシール層（内層）／基材層（中間層）／バリヤ層
（中間層）／表面層（外層）からなる積層フィルムを用いることが好ましく、中でも、内
層がポリプロピレン、中間層がナイロン、外層が内層側にバリア層としての酸化アルミニ
ウムや無機ケイ素などの薄膜を蒸着したポリエチレンテレフタレートからなる積層フィル
ムを用いることがガスバリア性、突刺し耐性ならびに透明性に優れていて好ましい。
【００３２】
この場合、中間層は、内容物の変質や腐敗等を防止するためのバリア層としての機能を
有するものであり、ナイロンや蒸着層以外にも、エチレン−ビニルアルコール共重合樹脂
フィルム（ＥＶＯＨ）等が用いられる。内層としては、ポリプロピレン以外にもポリエチ
レンなどが用いられ、外層としては、ポリエチレンテレフタレート以外にもナイロン等が
用いられる。
【００３３】
本発明の流動食用パウチ１の把持部２は、側辺１７と反対側の側辺２７に、斜め下方に
突出した状態で形成され、この把持部２よりも下方のヒートシール部には吊り下げ穴１２
が形成されている。この把持部２は、主として、パウチ内容物排出後の加水作業の際にパ
ウチをしっかりと保持することができるように把持するためのものであるから、片手で把
持することが可能な横幅に形成されていることが好ましく、具体的には、５０ないし１１
０ｍｍの横幅であることがが好ましい。また把持部２と切り欠き１２の位置的関係をこの
ようにすることにより、流動食用パウチ１の吊り下げ穴１２をフックなどにつるした場合
は、把持部２の開口は斜め上方に位置することになり、加水作業時の安定性に優れたもの
となる。
【００３４】
把持部２の形状は、特に制限されるものではないが、加水作業時に把持部を片手で掴み
、軽く絞る程度で容易に開口部を開けることが出来るものであるためには、指または片手
で掴むことができるだけの突出部を有していることが好ましい。この把持部２の先端部は
、加水時の把持をより確実なものにするために、前記把持部の側端シール部２６の少なく
とも一方にフラップ２４が延設されていることが好ましい。このフラップ２４は把持部２
を掴み持ちあげた時にパウチが滑り落ちないようにするためのものであり、側端シール部
２６の端部の少なくとも片方に形成され、手指を掛けることが出来るものであればその形
状も特に限定されるものではない。
【００３５】
把持部２の外端シール部２５と線状ファスナー２１との間には、開封の際に切り裂き箇
所となる開封予定部２２が設けられている。この開封予定部２２には、開封予定部である
ことを示す点線状の印刷を施したり、端部にノッチを入れ、切り裂き開始を容易にするこ
ともよく、さらにはスコアやレーザー加工による弱化線などの易開封機構を設けると、ハ
サミ等の切断具を使用しなくても手指だけで切り裂きが可能となるため好ましい。なお、
側端シール部２６にフラップ２４が延設される場合には、このフラップ２４の少なくとも
一部が開封予定線より線状ファスナー２１側に位置するようにフラップ２４を設ける必要
がある。
【００３６】
本発明において用いる線状ファスナー２１とは、図６に示すように、一方の面に長手方
向に直線状の凸部２１ａが形成され、それと対向する面に上記凸部２１ａと係合する凹部
２１ｂが形成されているもので、凸部２１ａが表面フィルムＡに融着され、凹部２１ｂが
裏面フィルムＢの対向する位置に融着されている。したがって、フィルムＡ，Ｂの線状フ
ァスナー部分を外側から押圧すれば、凸部２１ａと凹部２１ｂが互いに係合してパウチを
封止するようになっている。また両端部は把持部の側端シール部に接続している。線状フ
ァスナーは、パウチ内面への熱接着性ならびに内容物殺菌時の耐レトルト適性を有するこ
とが好ましく、ポリプロピレン樹脂等を用いて押し出し成形などで成形される。この線状
ファスナーとしては、例えば、食品類の包装袋を開封した後のリパック用に用いられてい
る「ジップロック」（登録商標）などが知られている。
【００３７】
さらに、本発明においては、線状ファスナーとして、凸部２１ａと凹部２１ｂのパウチ
内方の端部からそれぞれ延設されたフィルム状基材２８が弱化部２３を介して連接されて
いるものを使用した時には、パウチ内容物を外側から加熱殺菌した場合などに、内容物が
フィルム状基材２８に遮られ直接線状ファスナーの係合部分周辺に付着することがないた
め、異物や雑菌の侵入を伴わずに、より清潔な状態で加水作業が遂行出来ることになる。
図７はその好ましい線状ファスナーの展開図を示している。
【００３８】
上記線状ファスナーの弱化部２３は、パウチ内に内容物が入っている時は破断すること
なく、線状ファスナーの開封後に引き続いて破断される程度の連接状態を保持していれば
よく、当該部分を薄肉にしたり、スコアを形成するなどの手段によって容易に形成するこ
とができる。開封前に内容物が線状ファスナー２１の係合部と接触しないようにするには
、上記のフィルム状基材２８が弱化部２３を介して連接されているもののほか、例えば、
線状ファスナー２１より内側（内容物注出具側）のパウチ把持部の表裏パウチ胴材内面フ
ィルム同士を弱シールすることなどによっても可能である。
【００３９】
本発明の流動食用パウチ１は、表面フィルムＡ、裏面フィルムＢ及び底面フィルムＣか
らなる３枚のフィルムの周縁部をヒートシールした有底構造を有している。Ａ，Ｂ，Ｃか
らなる各フィルムのヒートシール状態は、図４、図５に示すように、各種の構成を採り得
るものであり、図４に示すように、Ａ，Ｂ，Ｃのシール接点部１６から下方が開脚した状
態で構成されていてもよい。図５は、その状態の底面図である。
【００４０】
内容物注出具１１としては、通常、硬質のプラスチックから成形されているスパウトと
呼ばれるものや、前記特許文献に記載された注出部材がいずれも使用することができる。
この内容物注出具１１は、流動食用パウチの胴体を構成するプラスチックフィルムＡ，Ｂ
の周縁部において、プラスチックフィルムの内層間に熱融着された状態で装着されるもの
であるから、注出具の素材はパウチを構成するフィルム内層と熱融着可能なものでなけれ
ばならない。また、その先端部の形状はパイプへの挿入が容易なようにテーパー状にして
もよいし、パイプが抜けにくくするために、先端部外周に凹凸形状を形成するなどの適宜
任意に工夫が成されていてもよい。また注出具には、必要に応じてキャップ１１ａを取り
付けるようにしてもよい。
【００４１】
本発明の流動食用パウチ１は、内容物注出具１１の付設にしても、線状ファスナー２１
の付設にしても、さらには把持部２の形成にしても、いずれも、通常のパウチの製造設備
をそのまま利用することが出来る点でも効率的であり、パウチ周縁のシール部は例えばパ
ウチの形状に対応したシールバーを用いてシールして成形することができる。
【産業上の利用可能性】
【００４２】
以上詳述したように、本発明の流動食用パウチは、内容物投与後の水分等の補給に際し
て、別体の注入具を付設することなく、パウチ周縁の特定部位に把持部を設け、その把持
部内に線状ファスナーによる開口形成具を用いるだけで、清潔でコスト的に安価なばかり
でなく、加水作業が確実に遂行出来、成形工程が簡略化され、廃棄時に充填具の分別もこ
とさらに必要がないなどの特徴があり、ワンウエイの注出具付きパウチとして、広く利用
が見込まれる。
【図面の簡単な説明】
【００４３】
【図１】本発明の有底の流動食用パウチの実施態様を示す正面図である。
【図２】本発明の有底の流動食用パウチの他の実施態様を示す正面図である。
【図３】本発明の有底の流動食用パウチの底部構造を示す斜視図である。
【図４】本発明の有底の流動食用パウチの他の底部構造を示す斜視図である。
【図５】図３の底部構造の底面図である。
【図６】本発明の流動食用パウチに用いる線状ファスナーの拡大断面図である。
【図７】同線状ファスナーの展開図である。
【図８】特許文献１に示された従来の流動食用パウチの斜視図である。
【図９】特許文献２に示された従来の流動食用パウチの斜視図である。
【符号の説明】
【００４４】
１              流動食用パウチ
１１              内容物注出具
１１ａ            キャップ
１１ｂ            キャップ先端
１２              吊下げ具挿入用切り欠き
１３              パウチ周縁部（シール部）
１４              底部
１５              底部シール部
１６              フィルムＡ，Ｂ，Ｃのシール接点
１７              パウチ側辺
１７ａ            側辺延長線                                                  
１８              傾斜部
１８ａ            傾斜部のヒートシール部内縁
１９              パウチ上辺
１９ａ            上辺延長線
２              把持部
２１              線状ファスナー
２１ａ            線状ファスナーの凸部
２１ｂ            線状ファスナーの凹部
２２              開封予定部
２３              弱化部                                                      
２４              フラップ
２５              把持部外端シール部
２６              把持部側端シール部
２７              パウチ把持部側の側辺
２８              フィルム状基材
２９              シール縁
Ａ              表面フィルム                                                
Ｂ              裏面フィルム                                                
Ｃ              底面フィルム                                                
Ｌ              トリミングの縦カット長                                      
θ              トリミングの角度                                            
ａ              流動食用パウチ
ｂ              内容物注出具
ｃ              注入用部材
ｄ〜ｄ３        穴                                                          
ｅ〜ｅ２        パウチ周縁部                                                
ｆ              ガセット
ｇ１，ｇ２      切り込み部
ｈ              ジッパー式封止部
【図１】
2007022572.tif 000003
【図２】
2007022572.tif 000004
【図３】
2007022572.tif 000005
【図４】
2007022572.tif 000006
【図５】
2007022572.tif 000007
【図６】
2007022572.tif 000008
【図７】
2007022572.tif 000009
【図８】
2007022572.tif 000010
【図９】
2007022572.tif 000011